(57)【要約】  デバイスは、歌を再生するロジックを含んでもよい。デバイスはまた、２レベルのディスプレイを含んでもよい。ディスプレイの第１のレベルは、デバイスのユーザへと歌に関連しない情報を表示してもよい。ディスプレイの第２のレベルは、デバイスによって歌が再生されている間にユーザへとグラフィカルな情報を表示してもよい。
2010500805.tif 000002
【特許請求の範囲】
【請求項１】
無線周波数信号を送信するように構成された送信器と、
無線周波数信号を受信するように構成された受信器と、
複数のオーディオファイルを格納するように構成されたメモリと、
前記オーディオファイルの１つである第１のオーディオファイルを再生するように構成されたロジックと、
ディスプレイとを備える移動通信デバイスであって、
前記ディスプレイは、
前記移動通信デバイスによってかけられた電話呼、又は前記移動通信デバイスによって受信された電話呼に関連する情報を表示するように構成された、液晶ディスプレイと、
前記液晶ディスプレイの後ろに位置する複数のビジュアル要素とを備え、
前記複数のビジュアル要素は前記第１のオーディオファイルが再生されている間に前記移動通信デバイスのユーザに対してグラフィカルな情報を表示するように構成されていることを特徴とする、移動通信デバイス。
【請求項２】
前記グラフィカルな情報は様々な高さを有する複数の光らせられた柱状部を含むことを特徴とする、請求項１に記載の移動通信デバイス。
【請求項３】
前記ディスプレイは少なくとも１つの発光部分をさらに備え、前記少なくとも１つの発光部分は前記液晶ディスプレイを後ろから照らし、前記複数のビジュアル要素が活性化すると不活性化し又は消えるように構成されることを特徴とする、請求項２に記載の移動通信デバイス。
【請求項４】
前記複数のビジュアル要素は複数の有機発光ダイオードを含むことを特徴とする、請求項１に記載の移動通信デバイス。
【請求項５】
前記複数のビジュアル要素は複数の発光ダイオードを含むことを特徴とする、請求項１に記載の移動通信デバイス。
【請求項６】
前記複数のビジュアル要素は電場発光フィルムを含むことを特徴とする、請求項１に記載の移動通信デバイス。
【請求項７】
前記複数のビジュアル要素は前記液晶ディスプレイを通して見えるように構成されていることを特徴とする、請求項１に記載の移動通信デバイス。
【請求項８】
前記複数のビジュアル要素は前記第１のオーディオファイルが再生されている時に高さが動的に変化するビジュアルな棒を生成するように構成されていることを特徴とする、請求項１に記載の移動通信デバイス。
【請求項９】
前記複数のビジュアル要素は複数のビジュアルな棒を生成するように構成されており、少なくとも前記棒の１つである第１の棒は複数の色を含むことを特徴とする、請求項１に記載の移動通信デバイス。
【請求項１０】
前記複数のビジュアル要素は前記第１のオーディオファイルが再生されている時に輝度が変化するビジュアルな棒を生成するように構成されていることを特徴とする、請求項１に記載の移動通信デバイス。
【請求項１１】
前記複数のビジュアル要素は複数のビジュアルな棒を生成するように構成され、前記複数の棒のそれぞれは周波数帯に対応することを特徴とする、請求項１に記載の移動通信デバイス。
【請求項１２】
前記グラフィカルな情報は、前記第１のオーディオファイルと関連する少なくとも１つの音楽的属性に対応することを特徴とする、請求項１に記載の移動通信デバイス。
【請求項１３】
オーディオファイルを再生するように構成されたデバイスにおける方法であって、
複数のオーディオファイルを格納する工程と、
前記デバイスのユーザに対して第１のディスプレイ部分を介して、前記複数のオーディオファイルとは関連しない第１の情報を表示する工程と、
前記オーディオファイルの１つである第１のオーディオファイルを再生する工程と、
前記第１のオーディオファイルが再生されている時に、第２のディスプレイ部分を介して前記ユーザに対してグラフィカルな情報を表示する工程とを備え、
前記第１のディスプレイ部分は前記第２のディスプレイ部分の上に、又は前記第２のディスプレイ部分を覆うように位置することを特徴とする方法。
【請求項１４】
前記グラフィカルな情報を表示する工程は、様々な高さを有する複数の光らせられた柱状部を表示することを含む工程を特徴とする、請求項１３に記載の方法。
【請求項１５】
前記第１のオーディオファイルが再生されている時に、前記第１のディスプレイ部分を自動的に消す工程を含むことを特徴とする、請求項１４に記載の方法。
【請求項１６】
第２のディスプレイ部分を介して表示する前記工程は、
複数の発光ダイオード又は電場発光フィルムに電力を供給する工程と、
異なる高さを有する複数のビジュアルな棒を含む表示を生成する工程とを含むことを特徴とする、請求項１３に記載の方法。
【請求項１７】
前記表示を生成する工程は、前記第１のオーディオファイルが再生されている時に、前記棒の高さ、前記棒の色、又は前記棒の輝度のうち少なくとも１つを動的に変化させる工程を含むことを特徴とする、請求項１６に記載の方法。
【請求項１８】
前記表示を生成する工程は、前記第１のオーディオファイルの周波数成分に基づいて前記棒の高さを動的に変化させる工程を含むことを特徴とする、請求項１６に記載の方法。
【請求項１９】
デバイスであって、
電話呼を送受信する手段と、
歌を再生する手段と、
前記デバイスによってかけられた電話呼又は前記デバイスによって受信された電話呼に関する情報を表示する第１の表示手段と、
前記第１の表示手段の後ろに位置し、前記歌が再生されている間に前記デバイスのユーザに対してグラフィカルな情報を表示するように構成されている第２の表示手段と、を備えることを特徴とするデバイス。
【請求項２０】
前記グラフィカルな情報を生成するために前記第２の表示手段に電力を供給する手段を備え、前記グラフィカルな情報は様々な高さを有する複数の光らせられた柱状部を含むことを特徴とする、請求項１９に記載のデバイス。
【請求項２１】
デバイスであって、
複数の歌を格納するように構成されたメモリと、
前記歌の１つである第１の歌を再生するように構成されたロジックと、
２レベルのディスプレイとを備え、
前記２レベルのディスプレイは、
前記デバイスのユーザへと前記第１の歌に関連しない第１の情報を表示するように構成された第１のレベルと、
前記第１の歌が再生されている間に前記ユーザへとグラフィカルな情報を表示するように構成された第２のレベルとを備えることを特徴とするデバイス。
【請求項２２】
前記第２のレベルは前記第１のレベルの後ろに位置し、複数の発光ダイオード又は電場発光フィルムのうち少なくとも１つを含むことを特徴とする、請求項２１に記載のデバイス。
【請求項２３】
前記グラフィカルな情報は様々な高さを有する複数の光らせられた柱状部を含むことを特徴とする、請求項２１に記載のデバイス。
【請求項２４】
前記ロジックは、前記第１の歌が再生されている時に、前記光られられた柱状部の高さ、色又は強さの少なくとも１つを動的に変化させるために、前記第２のレベルへと電力を供給するようにさらに構成されていることを特徴とする、請求項２３に記載のデバイス。
【発明の詳細な説明】
【技術分野】
【０００１】
本発明は、概してディスプレイに関し、より詳しくは、ディスプレイのためのグラフィカルな情報を提供することに関する。
【背景技術】
【０００２】
セルラ電話のような通信デバイスが、次第に多目的になってきている。例えば、セルラ電話はしばしば、関心のある場所の方向、スポーツの得点及び天気に関連する情報のような情報をユーザが得ることを可能にする、アプリケーションやプログラムを含む。通信デバイスは、ユーザが音楽を再生し、ゲームをすることを可能にするアプリケーションを含んでいてもよい。このようなアプリケーションは、ユーザにとって通信デバイスをより重要なものとした。
【発明の概要】
【課題を解決するための手段】
【０００３】
１つの態様によれば、移動通信デバイスは無線周波数信号を送信するように構成された送信器と、無線周波数信号を受信するように構成された受信器とを備えてもよい。前記移動通信デバイスは、複数のオーディオファイルを格納するように構成されたメモリと、前記オーディオファイルの１つである第１のオーディオファイルを再生するように構成されたロジックと、ディスプレイとをさらに備えてもよい。前記ディスプレイは、前記移動通信デバイスによってかけられた電話呼、又は前記移動通信デバイスによって受信された電話呼に関連する情報を表示するように構成された、液晶ディスプレイを備えてもよい。前記ディスプレイは、前記液晶ディスプレイの後ろに位置する複数のビジュアル要素を備えてもよく、前記複数のビジュアル要素は前記第１のオーディオファイルが再生されている間に前記移動通信デバイスのユーザに対してグラフィカルな情報を表示するように構成される。
【０００４】
さらに、前記グラフィカルな情報は様々な高さを有する複数の光らせられた柱状部を含んでもよい。
【０００５】
さらに、前記ディスプレイは少なくとも１つの発光部分をさらに備えてもよく、前記少なくとも１つの発光部分は前記液晶ディスプレイを後ろから照らし、前記複数のビジュアル要素が活性化すると不活性化し又は消えるように構成される。
【０００６】
さらに、前記複数のビジュアル要素は複数の有機発光ダイオードを含んでもよい。
【０００７】
さらに、前記複数のビジュアル要素は複数の発光ダイオードを含んでもよい。
【０００８】
さらに、前記複数のビジュアル要素は電場発光フィルムを含んでもよい。
【０００９】
さらに、前記複数のビジュアル要素は前記液晶ディスプレイを通して見えるように構成されていてもよい。
【００１０】
さらに、前記複数のビジュアル要素は前記第１のオーディオファイルが再生されている時に高さが動的に変化するビジュアルな棒を生成するように構成されていてもよい。
【００１１】
さらに、前記複数のビジュアル要素は複数のビジュアルな棒を生成するように構成されていてもよく、少なくとも前記棒の１つである第１の棒は複数の色を含む。
【００１２】
さらに、前記複数のビジュアル要素は前記第１のオーディオファイルが再生されている時に輝度が変化するビジュアルな棒を生成するように構成されていてもよい。
【００１３】
さらに、前記グラフィカルな情報は、前記第１のオーディオファイルと関連する少なくとも１つの音楽的属性に対応していてもよい。
【００１４】
他の態様によれば、オーディオファイルを再生するように構成されたデバイスにおいて実行される方法が、複数のオーディオファイルを格納する工程と、前記デバイスのユーザに対して第１のディスプレイ部分を介して、前記複数のオーディオファイルとは関連しない第１の情報を表示する工程とを備えてもよい。前記方法はまた、前記オーディオファイルの１つである第１のオーディオファイルを再生する工程と、前記第１のオーディオファイルが再生されている時に、第２のディスプレイ部分を介して前記ユーザに対してグラフィカルな情報を表示する工程とを備えてもよく、前記第１のディスプレイ部分は前記第２のディスプレイ部分の上に、又は前記第２のディスプレイ部分を覆うように位置する。
【００１５】
さらに、前記グラフィカルな情報を表示する工程は、様々な高さを有する複数の光らせられた柱状部を表示することを含んでもよい。
【００１６】
さらに前記方法は、前記第１のオーディオファイルが再生されている時に、前記第１のディスプレイ部分を自動的に消す工程を含んでもよい。
【００１７】
さらに、第２のディスプレイ部分を介して表示する前記工程は、複数の発光ダイオード又は電場発光フィルムに電力を供給する工程と、異なる高さを有する複数のビジュアルな棒を含む表示を生成する工程とを含んでもよい。
【００１８】
さらに、前記表示を生成する工程は、前記第１のオーディオファイルが再生されている時に、前記棒の高さ、前記棒の色、又は前記棒の輝度のうち少なくとも１つを動的に変化させる工程を含んでもよい。
【００１９】
さらに、前記表示を生成する工程は、前記第１のオーディオファイルの周波数成分に基づいて前記棒の高さを動的に変化させる工程を含んでもよい。
【００２０】
さらに他の態様によれば、デバイスは電話呼を送受信する手段と、歌を再生する手段とを備えてもよい。前記デバイスはまた、前記デバイスによってかけられた電話呼又は前記デバイスによって受信された電話呼に関する情報を表示する第１の表示手段と、前記第１の表示手段の後ろに位置し、前記歌が再生されている間に前記デバイスのユーザに対してグラフィカルな情報を表示するように構成されている第２の表示手段とを含んでもよい。
【００２１】
さらに、前記デバイスは前記グラフィカルな情報を生成するために前記第２の表示手段に電力を供給する手段を備えてもよく、前記グラフィカルな情報は様々な高さを有する複数の光らせられた柱状部を含む。
【００２２】
さらに他の態様によれば、デバイスは複数の歌を格納するように構成されたメモリと、前記歌の１つである第１の歌を再生するように構成されたロジックとを備えてもよい。前記デバイスはまた、２レベルのディスプレイを備えてもよく、前記２レベルのディスプレイは、前記デバイスのユーザへと前記第１の歌に関連しない第１の情報を表示するように構成された第１のレベルと、前記第１の歌が再生されている間に前記ユーザへとグラフィカルな情報を表示するように構成された第２のレベルとを備える。
【００２３】
さらに、前記第２のレベルは前記第１のレベルの後ろに位置してもよく、複数の発光ダイオード又は電場発光フィルムのうち少なくとも１つを含んでもよい。
【００２４】
さらに、前記グラフィカルな情報は様々な高さを有する複数の光らせられた柱状部を含んでもよい。
【００２５】
さらに、前記ロジックは、前記第１の歌が再生されている時に、前記光られられた柱状部の高さ、色又は強さの少なくとも１つを動的に変化させるために、前記第２のレベルへと電力を供給するようにさらに構成されていてもよい。
【００２６】
本発明の他の特徴及び利点が、以下の詳細な説明から、当業者に容易に明らかとなるだろう。示され記述される実施形態は、本発明を実行するために予想される最良の形態の説明を提供する。本発明は、様々な明らかな点において、本発明から全く逸脱することなく修正が可能である。従って、図面は事実説明的なものと見なされ、制限的なものとしては見なされないだろう。
【図面の簡単な説明】
【００２７】
参照番号が添付の図面に付けられ、同一の参照番号の指示を有する要素は全体を通して類似の要素を示すだろう。
【００２８】
【図１】本明細書に記載される方法及びシステムが実装されうる典型的な移動端末の図である。
【図２】典型的な実装に従う図１の移動端末の構成部分を示す図である。
【図３Ａ】、
【図３Ｂ】、
【図３Ｃ】典型的な実装に従う、図１のディスプレイの部分を示す。
【図４】図１の移動端末による典型的な処理を示す流れ図である。
【図５】図１の移動端末により提供される典型的なグラフィカルな表示を示す。
【発明を実施するための形態】
【００２９】
以下の本発明の詳細な説明は、添付の図面を引用する。異なった図面における同一の参照番号は、同一の又は類似の要素を特定する。また、以下の詳細な説明は、本発明を限定するものではない。代わりに本発明の範囲は、添付の請求の範囲及び均等物によって定義される。
【００３０】
図１は、本明細書に記載される方法及びシステムが実装可能である、好例となる移動端末１００の図である。本明細書に記載される発明は、移動端末に関連する。本明細書で用いられる時、「移動端末」との用語は、複数行ディスプレイを備え又は備えないセルラ無線電話；セルラ無線電話を、データ処理、ファクシミリ及びデータ通信能力と結びつけた、パーソナル・コミュニケーション・システム（ＰＣＳ）端末；無線電話、ページャ、インターネット／イントラネットアクセス、ウェブブラウザ、オーガナイザ、カレンダー及び全地球測位システム（ＧＰＳ）受信器の少なくとも１つを含みうる個人情報端末（ＰＤＡ）；無線電話送受信器を含む従来からのラップトップ、パームトップとの少なくとも一方である受信器、又は他の装置を含むだろう。移動端末はまた、「普及（パーベイシブ）コンピューティング」デバイスとしても呼ばれるかもしれない。移動端末１００はまた、以下に詳細に記載されるように、メディア再生能力を含んでいてもよい。本書に記載されるシステム及び方法はまた、様々な他の通信機能は含まないがディスプレイ及びメディア再生能力を含む他のデバイスに実装されてもよいことが、理解されるべきである。
【００３１】
図１を参照すると、移動端末１００はハウジング１１０、スピーカ１２０、ディスプレイ１３０、制御ボタン１４０、キーパッド１５０及びマイクロホン１６０を含んでいてもよい。ハウジング１００は、移動端末１００の構成部分を、外界の要素から守るだろう。スピーカ１２０は、聴き取り可能な情報を移動端末１００のユーザに対して提供するだろう。
【００３２】
ディスプレイ１３０は、ビジュアル情報をユーザに対して提供するだろう。例えば、ディスプレイ１３０はやってくる呼又は出て行く呼、ゲーム、電話帳、現在時刻等に関する情報を提供してもよい。ディスプレイ１３０は、移動端末１００が動作している間にグラフィカルな情報をユーザに対して表示する、液晶ディスプレイ（ＬＣＤ）又は何らかの形式のディスプレイを含んでいてもよい。ＬＣＤは、例えば多数の発光ダイオード（ＬＥＤ）を用いて、背後から照らされていてもよい。
【００３３】
典型的な実装においてはディスプレイ１３０はまた、以下に詳細に記載されるように、特定の情報が移動端末１００のユーザに対して表示されることを可能にする追加の要素／部分を含んでいてもよい。以下で詳細に記載されるように例えば、多数の有機ＬＥＤ（ＯＬＥＤ）、離散(discrete)ＬＥＤ、電場発光(electroluminescence)フィルムからなる画素等が、特定の動作が移動端末１００によって実行される時にユーザにグラフィカルな表示を提供するために、ディスプレイ１３０に含まれていてもよい。
【００３４】
制御ボタン１４０は、移動端末１００に１以上の動作、例えば電話をかける、様々なメディアを再生する等を実行させるために、ユーザが移動端末１００と相互作用(interact)することを可能としてもよい。例えば、制御ボタン１４０はダイヤルボタン、電話を切るボタン、再生ボタン、等を含んでもよい。制御ボタン１４０は、例えば様々なメディアの再生のような選択している機能と関連するメニューをユーザが見ることを可能にする、メニューボタンを含んでいてもよい。キーパッド１５０は、標準的な電話キーパッドを含んでいてもよい。マイクロホン１６０は、ユーザからの聴き取り可能な情報を受け取ってもよい。
【００３５】
図２は、典型的な実装に従う移動端末１００の構成部分を示す図である。移動電話１００は、バス２１０と、処理ロジック２２０と、メモリ２３０と、入力デバイス２４０と、出力デバイス２５０と、通信インタフェース２６０とを含むだろう。バス２１０は、移動端末１００の構成部分の間での通信を可能にする。当業者なら、移動端末１００は多くの他の方法で構成されてもよく、他の又は異なる要素を含んでも良いことが分かるだろう。例えば、移動端末１００は１以上の電源（不図示）を含んでいてもよい。移動端末１００はまた、データ処理のための１以上の変調器、復調器、符号器、復号器などを含んでいてもよい。
【００３６】
処理ロジック２２０は、プロセッサ、マイクロプロセッサ、アプリケーション・スペシフィック集積回路（ＡＳＩＣ）、フィールド・プログラマブル・ゲート・アレイ（ＦＰＧＡ）又は類似のものを含んでいてもよい。処理ロジック２２０は、移動端末１００の動作を制御するために、ソフトウェア命令／プログラム又はデータ構造を実行してもよい。
【００３７】
メモリ２３０は、処理ロジック２２０による実行のための情報及び命令を格納する、ランダム・アクセス・メモリ（ＲＡＭ）又は他の型の動的格納デバイス；処理ロジック２２０が使うための静的な情報及び命令を格納する、リード・オンリ・メモリ（ＲＯＭ）又は他の型の静的格納デバイス；情報及び命令を格納するためのフラッシュメモリ（例えば電気的に消去可能なプログラマブル・リード・オンリ・メモリ（ＥＥＰＲＯＭ））デバイス；並びに何らかの他の型の磁気又は光学記録媒体及び対応するドライブ、のうちの少なくとも１つを含んでいてもよい。処理ロジック２２０によって用いられる命令はさらに、又は代わりに、処理ロジック２２０によるアクセスが可能な他の型のコンピュータ読取可能な媒体に格納されてもよい。コンピュータ読取可能な媒体は、１以上の、メモリデバイスと搬送波との少なくとも一方を含んでもよい。
【００３８】
入力デバイス２４０は、操作者が情報を移動端末１００に入力することを可能にする機構、例えばマイクロホン１６０、キーパッド１５０、制御ボタン１４０、キーボード、キーパッド、マウス、ペン、音声認識、生体測定（バイオメトリック）機構のうち少なくとも１つ、を含んでいてもよい。
【００３９】
出力デバイス２５０は、ディスプレイ１３０のようなディスプレイ、プリンタ、スピーカ１２０のような１以上のスピーカ等を含む、ユーザに対して情報を出力する１以上の機構を含んでいてもよい。出力デバイス２５０はまた、呼が受信された時に移動端末１００を振動させる振動（バイブレータ）機構を含んでもよい。
【００４０】
通信インタフェース２６０は、移動端末１００が他のデバイスとシステムとの少なくとも一方と通信することを可能にする、どんな送受信器類似機構を含んでいてもよい。例えば、通信インタフェース２６０はモデム又はＬＡＮへのイーサネット（登録商標）インタフェースを含んでいてもよい。通信インタフェース２６０はまた、無線ネットワークのようなネットワークを介して通信するための機構を含んでいてもよい。例えば、通信インタフェース２６０は１以上の無線周波数（ＲＦ）送信器、受信器、送受信器のうち少なくとも１つを含んでいてもよい。通信インタフェース２６０はまた、ＲＦデータを送受信するための１以上のアンテナを含んでいてもよい。
【００４１】
移動端末１００はユーザに対して、音楽ファイル、動画ファイル、マルチメディアファイル、ゲーム等の様々なメディアを再生するためのプラットホームを提供してもよい。移動端末１００はまた、移動端末１００によって再生されるメディアと関係する情報を、グラフィカルな形式で表示してもよい。移動端末１００は、メモリ２３０のようなコンピュータ読取可能な媒体に格納された命令のシーケンスを実行する処理ロジック２２０に応えて、これらの動作を実行してもよい。このような命令は、他のコンピュータ読取可能な媒体から、例えば通信インタフェース２６０を介して、メモリ２３０に読み込まれてもよい。コンピュータ読取可能な媒体は、１以上のメモリデバイスと搬送波との少なくとも一方を含んでもよい。代わりの実施形態においては、本発明と一致する処理を実行するために、有線接続された回路が、ソフトウェア命令の代わりに又はソフトウェア命令と組み合わせて、用いられてもよい。このように、本明細書に記載される実装は、どんな特定のハードウェア回路とソフトウェアとの組み合わせに限定されるものでもない。
【００４２】
図３Ａ−３Ｃは、典型的な実装におけるディスプレイ１３０の様々な部分を示す。図３Ａを参照すると、ディスプレイ１３０はＬＣＤ３１０と複数のＬＥＤ３２０とを含みうる。ＬＣＤ３１０は、明確にする目的のためだけに、クロスハッチングで示される。ＬＣＤ３１０は、やってくる又は出て行く電話の呼に関する情報（例えば電話番号）、連絡先情報を含む電話帳、現在時刻、ダウンロードされたコンテンツ（例えばニュース又は他の情報）、ゲームなどの、移動端末１００のユーザに対する情報を表示してもよい。
【００４３】
ＬＥＤ３２０は、ＬＣＤ３１０に背面光を提供する、例えば白色ＬＥＤでも他の色のＬＥＤでも、又は様々な色のＬＥＤの組み合わせでもよい。代わりにＬＥＤ３２０は、ＬＣＤ３１０に対して背面光を提供する他の発光要素を含んでもよい。典型的な実装においては、ＬＣＤ３１０はＬＣＤ３１０が消された時（例えば背後から照らされない時）、ＬＣＤ３１０の背後に位置する要素からの光がＬＣＤ３１０を通ることができ、ユーザに見えうるように、透過的であってもよい。
【００４４】
典型的な実装においては、ディスプレイ１３０は追加の要素を含んでもよい。例えば図３Ｂは、例えばＬＣＤ３１０の背後に位置してもよい、追加の要素を示す。図３Ｂを参照するとディスプレイ１３０は、本明細書では矩形の棒の形で示される、複数の柱状部３３０を含んでもよい。他の形もまた使われうる。ＬＣＤ３１０は、単純化のために図３Ｂには示されていない。しかし、ＬＣＤ３１０が柱状部３３０よりも高い層に位置していてもよい。言い換えるとディスプレイ３３０は、ＬＣＤ３１０がディスプレイ１３０の表面に最も近い層に位置し、柱状部３３０がＬＣＤ３１０の下に位置し又はＬＣＤ３１０の裏に視覚的に隠れていてもよい、多層ディスプレイであってもよい。単純化のために、図３Ｂには５つの柱状部３３０が示されている。しかしながら他の実装においては、より多い又はより少ない柱状部３３０が含まれてもよい。柱状部３３０は、他の柱状部の１つに関して異なる幅と高さとの少なくとも一方を有してもよいし、他の柱状部の１つに関して異なる距離離れた間隔で並べられてもよいし、この双方でもよい。さらに、柱状部３３０は垂直であることと、水平であることと、ディスプレイ１３０に対して角度をつけられていることとの少なくとも１つであってもよい。柱状部３３０の他の配置もまた可能であってよい。
【００４５】
柱状部３３０はそれぞれ複数のＯＬＥＤ、離散ＬＥＤ、電場発光（ＥＬ）フィルムからなる画素、又は柱状部３３０若しくは柱状部３３０の選択部分が移動端末１００のユーザにディスプレイ１３０を介して見えうるようにする、何らかの他の発光部分を含んでもよい。例えば、ある実装においては、移動端末１００が音楽を再生している時に、柱状部３３０の発光部分は移動端末１００のユーザに対してグラフィカルな表示を提供するために電力を供給され／活性化される。ある実装においては、移動端末１００のユーザに対してグラフィカルなイコライザー型エフェクトを生成するために、柱状部３３０は明るくされてもよい。例えば、再生されている音楽の異なる５つの周波数帯に対応する様々な高さ、又は５つの周波数帯のように見えることを意図した様々な高さになるように、５つの柱状部３３０が明るくされてもよい。すなわち、いくつかの実装においては、柱状部３３０を介して表示される情報は、再生されている音楽の周波数成分に実際には対応していなくてもよい。言い換えるとディスプレイ１３０は、移動端末１００のユーザに対してグラフィカルなイコライザーに見せかけた外観を提供してもよい。例えば、柱状部３３０のビジュアル属性はランダムに生成されてもよく、再生されている音楽には関連しない予め決定されているパターンに従って生成されてもよく、その双方でもよい。しかしながら、いくつかの実装においては、柱状部３３０の発光は移動端末１００によって再生されている音楽の様々な周波数成分（例えば低音、高音等）のレベルに対応していてもよく、又は音量のような何らかの他の音楽に関連する成分に対応していてもよい。すなわち、柱状部３３０の様々な視覚的な特徴は、再生されている音楽／歌の特定の部分の１以上の音楽の属性に関連していてもよい。それぞれの場合において、様々な高さになるように明るくされてもよい柱状部３３０を提供することは、移動端末１００による音楽の再生中にビジュアル成分を含めることにより、ユーザにとっての高められたエクスペリエンスを提供するだろう。
【００４６】
それぞれの場合において、音楽が移動端末１００によって再生されている時、柱状部３３０はＬＣＤ３１０を通して見えてもよい。例えば、ある実装において、ＬＣＤ３１０に対して背面光を提供するＬＥＤ３２０は、音楽が再生を開始する時に、柱状部３３０が移動端末１００のユーザに対してよりはっきりと表示されることを可能にするために、自動的に不活性化／消えてもよい。
【００４７】
図３ＣはＬＣＤ３１０及びＬＣＤ３１０の後ろに位置する柱状部３３０を備えるディスプレイ１３０を示す（柱状部３３０がＬＣＤ３１０の後ろ又は下に位置することを示すために破線の柱として示されている）。ＬＥＤ３２０もまた、図３Ｃに示されている。以下でより詳細に記載されるように、ディスプレイ１３０は移動端末１００のユーザに相補的なオーディオ及びビジュアル音楽エクスペリエンスを手に入れることを可能にしてもよい。
【００４８】
図４は典型的な実装における移動端末１００による処理を示す流れ図である。処理は例えば、移動端末１００が始動する時に始まってもよい。移動端末１００のユーザは、音楽ファイル又は歌のような多数のメディアファイルを、移動端末１００に格納していることを仮定する。メディアファイルは、例えばＭＰＥＧオーディオレイヤー３（ＭＰ３）ファイル、ｗａｖファイル等を含むだろう。メディアファイルは、例えばメモリ２３０に格納されていてもよい。代わりに、移動端末１００は移動端末１００の外部に位置するソースからメディアファイルを回収してもよい。
【００４９】
ユーザが、例えば制御ボタン１４０を用いて特定の歌を選択することを仮定する（動作４１０）。処理ロジック２２０は、例えばメモリ２３０から歌を回収し、歌の再生を開始してもよい（動作４２０）。
【００５０】
典型的な実装において、処理ロジック２２０は歌の再生を始めた時に、ＬＥＤ３２０を消すために出力デバイス２５０に信号を送ってもよい。処理ロジック２２０はまた、歌が再生されている時にディスプレイ１３０を介してグラフィカルな情報を表示するために、出力デバイス２５０に信号を送ってもよい。図３Ｂ及び３Ｃに関して先に記述したように、ディスプレイ１３０はＬＣＤ３１０の後ろに位置する表示要素／部分を含んでもよい。これらの表示要素は、ユーザにディスプレイ１３０を介してグラフィカルなイコライザー型表現を提供してもよい。
【００５１】
典型的な実装において処理ロジック２２０は、図５に示されるグラフィカルな表示５００を生成するために、制御命令と電力との少なくとも一方を、ディスプレイ１３０に提供してもよい。図５を参照すると、グラフィカル表示５００はディスプレイ１３０を介して出力されてもよく、様々な高さを有する５つの柱状部３３０を含んでもよい。図５に示される実装においては、それぞれの柱状部３３０の光らせられた部分は、グラフィカルなイコライザー型外見を生成するために違っていてもよい。さらに、それぞれの柱状部３３０のシェーディングは、漸進的であっても増加的であってもよい。すなわち図５に示されるように、それぞれの柱状部３３０が最も低い部分においては非常に暗くてもよく、それぞれの柱状部３３０の一番下からそれぞれの柱状部の一番上へと、次第に明るくなってもよい。このように、追加のビジュアル効果がグラフィカルな表示５００を介して提供されてもよい。他の実装においては、それぞれ各個の柱状部３３０の色が様々であってもよい。例えば、最も左の柱状部は緑であってもよく、次の柱状部は赤であってもよく、続いて青、白及びオレンジであってもよい（又は色の他のどんな組み合わせであってもよい）。さらに、それぞれの柱状部３３０はいくつかの色を含んでいてもよい。これらの実装において、柱状部３３０を構成する特定の光っている要素は、異なる色のＬＥＤ、ＯＬＥＤ、電場発光フィルム等を含んでもよい。
【００５２】
さらにいくつかの実装において、歌が移動端末１００によって再生されている時に、それぞれの柱状部３３０の光らせられた部分が変わってもよい（動作４４０）。例えば、歌が再生されている時に、それぞれの柱状部３３０の光らせられた部分の大きさが増加しても、減少しても、その双方をしてもよく、これにより柱状部３３０に関して動的に変化する動きエフェクトを生成する。他の実装においては、歌が再生されている時に１以上の柱状部３３０の光る輝度が変わってもよく、歌が再生されている時に１以上の柱状部３３０の色が変わってもよい。また、高さ、色、光る輝度のどんな組み合わせもが、歌が再生されている時に変化してもよい。
【００５３】
図５はまた、光らせられた柱状部３３０の１つの部分の拡大図を示す。図５を参照すると、中央の柱状部３３０の拡大された部分は、それぞれの柱状部３３０が、３３０ａ、３３０ｂ及び３３０ｃと明示されている多くの個々のセル又は画素を含むことを示している。処理ロジック２２０は、これらのセル／画素のそれぞれへの電力を個別に制御しても集団で制御してもよく、そうして所望のエフェクトを生成するためにセル／画素をつけ／消す。すなわち、移動端末１００のユーザに興味深いビジュアル効果を提供する動的でグラフィカルな表示を提供するために、処理ロジック２２０は適切な発光要素（ＬＥＤ、ＯＬＥＤ、ＥＬフィルム等）に供給された電力を制御してもよい。
【００５４】
さらに、いくつかの実装において、柱状部３３０の光らせられた部分の大きさが、音楽の特定の周波数成分に基づいて変化してもよい。すなわち、もし歌の間に低周波数における周波数成分（例えば低音成分）が増加するならば、最も左の柱状部３３０のような、この周波数成分に対応するであろう１つの柱状部３３０の高さが増加してもよい。代わりに、柱状部３３０の高さの増加／減少は、快いビジュアル効果を生成するために、処理ロジック２２０によってあらかじめ決められた方法で提供されてもよい。
【００５５】
グラフィカルな表示５００はまた、移動端末１００のユーザに対して他の情報を表示してもよい。例えば、歌のタイトルとアーティストとの少なくとも一方が、光らせられた柱状部３３０とともにユーザに対して表示されてもよい。ある実装においては移動端末１００は、ユーザが彼／彼女の好みに基づいて特定の表示をカスタマイズすることを可能にしてもよい。例えば、入力デバイス２４０はユーザに対して選択肢のメニューを提供してもよい。このメニューは、どんな情報がグラフィカルな表示上に表示されるか、例えば柱状部３３０の色及び何らかのテキストが表示中に提供されるか否か、をユーザが選択することを可能にしてもよい。
【００５６】
上述の実装においては、歌が再生されている時に柱状部３３０が移動端末１００のユーザへと表示されてもよい。移動端末１００によって音楽が再生されていない時には、柱状部３３０は通常電力を供給されず、それゆえユーザには見えない。さらに、完全な矩形マトリックスディスプレイとは反対に、画素の柱状部（例えば柱状部３３０）を含むディスプレイを提供することは、第２レベルのディスプレイ（すなわちＬＣＤ３１０の下に位置するディスプレイ）が電力を供給されている時、移動端末１００がかなりの電力を節約することを可能にする。
【００５７】
例えば、柱状部３３０の間の間隙が電力を供給されない間、柱状部３３０を構成するＯＬＥＤ、ＬＥＤ又はＥＬフィルムは電力を供給されるだろう。このように、所望のグラフィカル効果を生成するのに関連しないディスプレイ１３０の領域には電力を供給しないことにより、移動端末１００は電力を節約してもよい。
【００５８】
例として、ある実装において、１１５個のオレンジ色ＬＥＤが柱状部３３０を光らせるために用いられてもよい。それぞれのＬＥＤは活性化／電力を供給された時に、約１ミリアンペアの電流を引き出す。全ての１１５個のＬＥＤの電力を供給することは、ＬＥＤと関連する駆動回路を含めると、約２ボルトの電圧低下を引き起こす。このようなＬＥＤに電力を供給することに関する電圧低下及び電力の引き出しは、移動端末１００の動作と関連する問題を引き起こさないだろう。さらに、ＬＥＤに電源を供給することはまた、移動端末１００のバッテリー／電源を著しく枯渇させることはないだろう。
【００５９】
［結論］
本明細書に記載された実装は、再生されている音楽と関連するグラフィカルな情報をユーザが見ることを可能にする。有利なことにこのことは、音楽を聴くことに関してユーザの満足度レベルを向上させうる。さらに本明細書に記載された実装は、大きな電源資源を引き出すことなしに、ユーザに対してグラフィカルな情報を提供する。
【００６０】
上述の本発明の実施形態の詳細な説明は、図及び説明を提供するが、網羅的なものとを意図するものではなく、寸分違わない開示された型に本発明を限定することを意図しているものでもない。上述の教示に照らして修正及び変形が可能であり、また修正及び変形が本発明の実施から得られるかもしれない。
【００６１】
例えば、本発明の態様は音楽ファイルの再生も可能な移動端末の文脈において主に記述された。しかしながら本発明は、通信機能を含まないどんな形式のメディアプレイヤーに関しても用いられることができる。例えば、パーソナルコンピュータ、ラップトップコンピュータ、個人情報端末（ＰＤＡ）、ＭＰ３プレイヤー、又はメディア再生能力を持つ他のどんなデバイスにおいて、本発明の態様が実装されてもよい。さらに、移動端末１００にローカルに格納された歌／音楽を再生するものとして、本発明の態様は記述された。他の実施形態においては歌／音楽が、移動端末１００にアクセス可能なサーバのような外部デバイスからアクセスされるコンテンツ、無線局から受け取った歌等を表してもよい。
【００６２】
さらにまた本発明の態様は、グラフィックイコライザー型のビジュアル効果を生成するために、多くのビジュアルな棒を表示することに関して記述された。他の実装においては、他のデザイン又はパターンのような他のグラフィカルな表現が生成されてもよい。例えば、音楽が再生されている時に活性化されうる発光部分を用いて、様々な抽象的な形又はデザインが生成されてもよい。
【００６３】
さらに、図４に関して一連の動作が記述されたが、本発明と調和する他の実装において、動作の順番は異なっていてもよい。さらに、依存しない動作は並列に実行されてもよい。
【００６４】
本発明の態様が方法とコンピュータプログラム製品との少なくとも一方として実装されてもよいことは、当業者にも明らかであろう。従って、本発明はハードウェアとソフトフェア（ファームウェア、常駐プログラム、マイクロコード等を含む）との少なくとも一方として実現されてもよい。さらに本発明は、命令実行システムによって利用されるための媒体又は命令実行システムと関係する媒体において実現されるコンピュータ利用可能な又はコンピュータ読取可能なプログラムコードを有する、コンピュータ利用可能な又はコンピュータ読取可能な格納媒体上のコンピュータプログラム製品の形をとってもよい。本発明の本質と一致する態様を実行するために用いられる、実際のソフトウェアコード又は特化した制御ハードウェアは、本発明が制限するものではない。このように、態様の動作及び振る舞いが特定のソフトウェアコードを参照することなく記述された。当業者なら、本明細書の詳細な説明に基づく態様を実行するためのソフトウェア及び制御ハードウェアを設計することが可能であろうことが理解される。
【００６５】
さらに、本発明の特定の部分は１以上の機能を実行する「ロジック」として実装されてもよい。このロジックは、プロセッサ、マイクロプロセッサ、アプリケーション・スペシフィック集積回路、又はフィールド・プログラマブル・ゲート・アレイのようなハードウェアを含んでもよく、ソフトウェアを含んでもよく、又はハードウェアとソフトウェアとの組み合わせを含んでもよい。
【００６６】
「備える(comprises/comprising)」との用語は、本明細書で用いられる時には述べられた特徴、整数、工程、又は部分の存在を特定するために用いられるが、１以上の他の特徴、整数、工程、部分又はこれらからなる群の存在又は追加を排除するものではないことが、強調されるべきである。
【００６７】
本願の明細書において用いられるどんな要素、動作、又は命令も、そのように明示的に記述されない限りは決定的又は必須であるものと解釈されるべきではない。また、本明細書で用いられる時には、冠詞「ａ」は１以上の事項を含むことが意図されている。ただ１つの事項が意図される場合、用語「ｏｎｅ」又は類似の言葉が用いられる。さらに本明細書で用いられる場合、句「基づく(based on)」は、他に明示的に述べられない限り「少なくとも部分的に基づく」を意味することが意図されている。
【００６８】
本発明の範囲は、請求の範囲及びその均等物によって定義される。
【図１】
2010500805.tif 000003
【図２】
2010500805.tif 000004
【図３Ａ】
2010500805.tif 000005
【図３Ｂ】
2010500805.tif 000006
【図３Ｃ】
2010500805.tif 000007
【図４】
2010500805.tif 000008
【図５】
2010500805.tif 000009
【手続補正書】
【提出日】平成21年4月7日(2009.4.7)
【手続補正１】
【補正対象書類名】特許請求の範囲
【補正対象項目名】全文
【補正方法】変更
【補正の内容】
【特許請求の範囲】
【請求項１】
無線周波数信号を送信するように構成された送信器と、
無線周波数信号を受信するように構成された受信器と、
複数のオーディオファイルを格納するように構成されたメモリと、
前記オーディオファイルの１つである第１のオーディオファイルを再生するように構成されたロジックと、
ディスプレイとを備える移動通信デバイスであって、
前記ディスプレイは、
前記移動通信デバイスによってかけられた電話呼、又は前記移動通信デバイスによって受信された電話呼に関連する情報を表示するように構成された、液晶ディスプレイと、
前記液晶ディスプレイの後ろに位置する複数のビジュアル要素とを備え、
前記複数のビジュアル要素は前記第１のオーディオファイルが再生されている間に前記移動通信デバイスのユーザに対してグラフィカルな情報を表示するように構成されていることを特徴とする、移動通信デバイス。
【請求項２】
前記ディスプレイは少なくとも１つの発光部分をさらに備え、前記少なくとも１つの発光部分は前記液晶ディスプレイを後ろから照らし、前記複数のビジュアル要素が活性化すると不活性化し又は消えるように構成されることを特徴とする、請求項１に記載の移動通信デバイス。
【請求項３】
前記複数のビジュアル要素は複数の有機発光ダイオードを含むことを特徴とする、請求項１に記載の移動通信デバイス。
【請求項４】
前記複数のビジュアル要素は複数の発光ダイオードを含むことを特徴とする、請求項１に記載の移動通信デバイス。
【請求項５】
前記複数のビジュアル要素は電場発光フィルムを含むことを特徴とする、請求項１に記載の移動通信デバイス。
【請求項６】
前記複数のビジュアル要素は前記第１のオーディオファイルが再生されている時に高さが動的に変化するビジュアルな棒を生成するように構成されていることを特徴とする、請求項１に記載の移動通信デバイス。
【請求項７】
前記複数のビジュアル要素は前記第１のオーディオファイルが再生されている時に輝度が変化するビジュアルな棒を生成するように構成されていることを特徴とする、請求項１に記載の移動通信デバイス。
【請求項８】
オーディオファイルを再生するように構成されたデバイスにおける方法であって、
複数のオーディオファイルを格納する工程と、
前記デバイスのユーザに対して第１のディスプレイ部分を介して、前記複数のオーディオファイルとは関連しない第１の情報を表示する工程と、
前記オーディオファイルの１つである第１のオーディオファイルを再生する工程と、
前記第１のオーディオファイルが再生されている時に、第２のディスプレイ部分を介して前記ユーザに対してグラフィカルな情報を表示する工程とを備え、
前記第１のディスプレイ部分は前記第２のディスプレイ部分の上に、又は前記第２のディスプレイ部分を覆うように位置し、
第２のディスプレイ部分を介して表示する前記工程は、
複数の発光ダイオード又は電場発光フィルムに電力を供給する工程と、
異なる高さを有する複数のビジュアルな棒を含む表示を生成する工程とを含むことを特徴とする方法。
【請求項９】
前記表示を生成する工程は、前記第１のオーディオファイルが再生されている時に、前記棒の高さ、前記棒の色、又は前記棒の輝度のうち少なくとも１つを動的に変化させる工程を含むことを特徴とする、請求項８に記載の方法。
【請求項１０】
前記表示を生成する工程は、前記第１のオーディオファイルの周波数成分に基づいて前記棒の高さを動的に変化させる工程を含むことを特徴とする、請求項８に記載の方法。
【国際調査報告】
2010500805.tif 000010
2010500805.tif 000011